(57)【要約】  第２の無線接続技術を使用して第２の信号を同時に送信しながら第１の無線接続技術を使用して第１の信号を送信するために利用可能な第１の電力についての決定がなされ、第２の無線接続技術は第１の無線接続技術とは異なる、無線通信のための方法、装置、およびコンピュータ・プログラム製品が提供される。上りリンク許可が受信され、上りリンク許可に基づいて、第１の無線接続技術を使用して上りリンクで第１の信号を送信するための第２の電力についての決定がなされる。第１の電力と第２の電力との間の差についての決定がなされる。差に関する情報が、トリガに基づき、第１の無線接続技術によってレポートされる。情報をレポートすることは、最後のレポートからの電力バックオフの変化が選択されたしきい値を超えたときに、トリガされる。
2013539323.tif 000002
【特許請求の範囲】
【請求項１】
無線通信の方法であって、
上りリンク許可を受信することと、
第２の無線接続技術を使用して第２の信号を同時に送信しながら第１の無線接続技術を使用して第１の信号を送信するために利用可能な、第１の電力を決定することであって、前記第２の無線接続技術は前記第１の無線接続技術とは異なる、決定することと、
前記上りリンク許可に基づいて、前記第１の無線接続技術を使用して上りリンクで前記第１の信号を送信するための第２の電力を決定することと、
前記第１の電力と前記第２の電力との間の差を決定することと、
トリガされると、前記第１の無線接続技術によって、前記差に関する情報をレポートすることと
を備え、前記情報をレポートすることは、最後のレポートからの電力バックオフの変化が選択されたしきい値を超えたときに、トリガされる、方法。
【請求項２】
前記第１の無線接続技術は、ロング・ターム・エボリューション（ＬＴＥ）である、請求項１に記載の方法。
【請求項３】
前記第２の無線接続技術は、１ｘ、エボリューション・データ・オプティマイズド、およびＢｌｕｅｔｏｏｔｈのうちの１つを含む、請求項２に記載の方法。
【請求項４】
前記第１の無線接続技術を使用して前記第１の信号を、前記第２の無線接続技術を使用して前記第２の信号を、同時に送信するためのモードで動作すること
をさらに備える、請求項１に記載の方法。
【請求項５】
前記情報をレポートすることは、最後のレポートからの電力バックオフの変化が選択されたしきい値を超え、周期的タイマが終了すると、トリガされる、請求項１に記載の方法。
【請求項６】
前記レポートすることは、電力ヘッドルーム・レポートのタイプを示す、変更され予約されたビットを有する、電力ヘッドルーム・レポート媒体アクセス制御（ＭＡＣ）制御エレメントとして、実行される、請求項１に記載の方法。
【請求項７】
前記レポートすることは、電力ヘッドルーム・レポートとは異なる新しい媒体アクセス制御（ＭＡＣ）制御エレメントとして、実行される、請求項１に記載の方法。
【請求項８】
無線通信のための装置であって、
上りリンク許可を受信するための手段と、
第２の無線接続技術を使用して第２の信号を同時に送信しながら第１の無線接続技術を使用して第１の信号を送信するために利用可能な、第１の電力を決定するための手段であって、前記第２の無線接続技術は前記第１の無線接続技術とは異なる、決定するための手段と、
前記上りリンク許可に基づいて、前記第１の無線接続技術を使用して上りリンクで前記第１の信号を送信するための第２の電力を決定するための手段と、
前記第１の電力と前記第２の電力との間の差を決定するための手段と、
トリガされると、前記第１の無線接続技術によって、前記差に関する情報をレポートするための手段と
を備え、前記情報をレポートすることは、最後のレポートからの電力バックオフの変化が選択されたしきい値を超えたときに、トリガされる、装置。
【請求項９】
前記第１の無線接続技術は、ロング・ターム・エボリューション（ＬＴＥ）である、請求項８に記載の装置。
【請求項１０】
前記第２の無線接続技術は、１ｘ、エボリューション・データ・オプティマイズド、およびＢｌｕｅｔｏｏｔｈのうちの１つを含む、請求項９に記載の装置。
【請求項１１】
前記第１の無線接続技術を使用して前記第１の信号を、前記第２の無線接続技術を使用して前記第２の信号を、同時に送信するためのモードで動作するための手段
をさらに備える、請求項８に記載の装置。
【請求項１２】
前記情報をレポートするための手段は、タイマが終了するとレポートをトリガする、請求項８に記載の装置。
【請求項１３】
前記情報をレポートするための手段は、電力ヘッドルーム・レポートのタイプを示す、変更され予約されたビットを有する、電力ヘッドルーム・レポート媒体アクセス制御（ＭＡＣ）制御エレメントによって、レポートを実行する、請求項８に記載の装置。
【請求項１４】
前記情報をレポートするための手段は、電力ヘッドルーム・レポートとは異なる新しい媒体アクセス制御（ＭＡＣ）制御エレメントによって、レポートを実行する、請求項８に記載の装置。
【請求項１５】
下記のためのコードを備えるコンピュータ読取可能な媒体を備えるコンピュータ・プログラム製品であって、
上りリンク許可を受信すること、
第２の無線接続技術を使用して第２の信号を同時に送信しながら第１の無線接続技術を使用して第１の信号を送信するために利用可能な、第１の電力を決定することであって、前記第２の無線接続技術は前記第１の無線接続技術とは異なる、決定すること、
前記上りリンク許可に基づいて、前記第１の無線接続技術を使用して上りリンクで前記第１の信号を送信するための第２の電力を決定すること、
前記第１の電力と前記第２の電力との間の差を決定すること、
トリガされると、前記第１の無線接続技術によって、前記差に関する情報をレポートすること、
ここで、前記情報をレポートすることは、最後のレポートからの電力バックオフの変化が選択されたしきい値を超えたときにトリガされる、コンピュータ・プログラム製品。
【請求項１６】
前記第１の無線接続技術は、ロング・ターム・エボリューション（ＬＴＥ）である、請求項１５に記載のコンピュータ・プログラム製品。
【請求項１７】
前記第２の無線接続技術は、１ｘ、エボリューション・データ・オプティマイズド、およびＢｌｕｅｔｏｏｔｈのうちの１つを含む、請求項１６に記載のコンピュータ・プログラム製品。
【請求項１８】
前記コンピュータ読取可能な媒体は、
前記第１の無線接続技術を使用して前記第１の信号を、前記第２の無線接続技術を使用して前記第２の信号を、同時に送信するためのモードで動作すること、
のためのコードをさらに備える、請求項１５に記載のコンピュータ・プログラム製品。
【請求項１９】
前記情報をレポートするためのコードは、タイマが終了するとレポートをトリガする、請求項１５に記載のコンピュータ・プログラム製品。
【請求項２０】
前記情報をレポートするためのコードは、電力ヘッドルーム・レポートのタイプを示す、変更され予約されたビットを有する、電力ヘッドルーム・レポート媒体アクセス制御（ＭＡＣ）制御エレメントによって、レポートを実行する、請求項１５に記載のコンピュータ・プログラム製品。
【請求項２１】
前記情報をレポートするためのコードは、電力ヘッドルーム・レポートとは異なる新しい媒体アクセス制御（ＭＡＣ）制御エレメントによってレポートを実行する、請求項１５に記載のコンピュータ・プログラム製品。
【請求項２２】
無線通信のための装置であって、
処理システムであって、
上りリンク許可を受信し、
第２の無線接続技術を使用して第２の信号を同時に送信しながら第１の無線接続技術を使用して第１の信号を送信するために利用可能な、第１の電力を決定し、ここで、前記第２の無線接続技術は前記第１の無線接続技術とは異なり、
前記上りリンク許可に基づいて、前記第１の無線接続技術を使用して上りリンクで前記第１の信号を送信するための第２の電力を決定し、
前記第１の電力と前記第２の電力との間の差を決定し、
トリガされると、前記第１の無線接続技術によって、前記差に関する情報をレポートする
ように構成された処理システム
を備え、前記情報をレポートすることは、最後のレポートからの電力バックオフの変化が選択されたしきい値を超えたときに、トリガされる、装置。
【請求項２３】
前記第１の無線接続技術は、ロング・ターム・エボリューション（ＬＴＥ）である、請求項２２に記載の装置。
【請求項２４】
前記第２の無線接続技術は、１ｘ、エボリューション・データ・オプティマイズド、およびＢｌｕｅｔｏｏｔｈのうちの１つを含む、請求項２３に記載の装置。
【請求項２５】
前記処理システムは、
前記第１の無線接続技術を使用して前記第１の信号を、前記第２の無線接続技術を使用して前記第２の信号を、同時に送信するためのモードで動作する
ようにさらに構成される、請求項２２に記載の装置。
【請求項２６】
前記情報をレポートするために、前記処理システムは、タイマが終了するとレポートをトリガするように構成される、請求項２２に記載の装置。
【請求項２７】
前記情報をレポートするために、前記処理システムは、電力ヘッドルーム・レポートのタイプを示す、変更され予約されたビットを有する、電力ヘッドルーム・レポート媒体アクセス制御（ＭＡＣ）制御エレメントによって、前記レポートを実行するように構成される、請求項２２に記載の装置。
【請求項２８】
前記情報をレポートするために、前記処理システムは、電力ヘッドルーム・レポートとは異なる新しい媒体アクセス制御（ＭＡＣ）制御エレメントによって、前記レポートを実行するように構成される、請求項２２に記載の装置。
【発明の詳細な説明】
【関連出願の相互参照】
【０００１】
本願は、２０１０年９月３０日に出願された、「同時の音声およびロング・ターム・エボリューションのための電力ヘッドルーム（POWER HEADROOM FOR SIMULTANEOUS VOICE AND LONG TERM EVOLUTION ）」と題する、米国仮出願番号第６１／３８８，５０７号、および２０１１年９月２８日に出願された、「同時の音声およびロング・ターム・エボリューションのための電力ヘッドルーム（POWER HEADROOM FOR SIMULTANEOUS VOICE AND LONG TERM EVOLUTION ）」と題する、米国特許出願番号第１３／２４７，９７３号の優先権を主張し、それらの全内容は、引用により本明細書に明確に組み込まれる。
【技術分野】
【０００２】
本開示は、一般的に、通信システムに関し、より詳細には、異種の無線接続技術による同時送信のための電力ヘッドルーム・レポートに関する。
【背景技術】
【０００３】
電話通信、映像、データ、メッセージング、ブロードキャストといったさまざまな電気通信サービスを提供するために、無線通信システムが広く展開されている。典型的な無線通信システムは、利用可能なシステム・リソース（たとえば、帯域幅、送信電力）を共有することによって複数のユーザとの通信をサポートすることができる多元接続技術を用い得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、時分割同期符号分割多元接続（ＴＤ−ＳＣＤＭＡ）システムが含まれる。
【０００４】
これらの多元接続技術は、様々な無線デバイスに、市区町村レベル、国レベル、地域レベル、さらには世界的なレベルでの通信をも可能にさせる共通のプロトコルを提供するために、さまざまな電気通信規格において採用されてきた。台頭してきた電気通信規格の一例は、ロング・ターム・エボリューション（ＬＴＥ）である。ＬＴＥは、第３世代パートナーシップ・プロジェクト（３ＧＰＰ）によって発表されたユニバーサル・モバイル電気通信システム（ＵＭＴＳ）のモバイル規格を高度化したもののセットである。それは、スペクトル効率を改善することによってモバイル・ブロードバンド・インターネット・アクセスをより良好にサポートし、コストを下げ、サービスを向上させ、新しいスペクトルを利用し、および、下りリンク（ＤＬ）にＯＦＤＭＡを、上りリンク（ＵＬ）にＳＣ−ＦＤＭＡを使用し、多入力多出力（ＭＩＭＯ）アンテナ技術を使用して、より良好に他のオープン規格に組み込まれるように設計されている。しかしながら、モバイル・ブロードバンド・アクセスの需要が増加し続けるのに伴い、ＬＴＥ技術にはさらなる改良が必要とされている。望ましくは、これらの改良は、これらの技術を用いる他の多元接続技術および電気通信規格に適用可能であるべきである。
【発明の概要】
【０００５】
本開示の一態様では、第２の無線接続技術を使用して第２の信号を同時に送信しながら第１の無線接続技術を使用して第１の信号を送信するために利用可能な第１の電力が決定され、第２の無線接続技術は第１の無線接続技術とは異なる、方法、装置、およびコンピュータ・プログラム製品が提供される。上りリンク許可が受信され、この上りリンク許可に基づいて、第１の無線接続技術を使用して上りリンクで第１の信号を送信するための第２の電力が決定される。第１の電力と第２の電力との間の差が決定され、トリガされると、その差に関する情報が、第１の無線接続技術によってレポートされる。レポートされる情報は、最後のレポートからの電力バックオフの変化が選択されたしきい値を超えたときに、トリガされ得る。
【図面の簡単な説明】
【０００６】
【図１】図１は、処理システムを用いる装置のためのハードウェアの実装の例を示す図である。
【図２】図２は、ネットワーク・アーキテクチャの例を示す図である。
【図３】図３は、アクセス・ネットワークの例を示す図である。
【図４】図４は、アクセス・ネットワークにおいて使用されるフレーム構造の例を示す図である。
【図５】図５は、ＬＴＥにおけるＵＬに関する例示的なフォーマットを示す図である。
【図６】図６は、ユーザおよび制御プレーンに関する無線プロトコル・アーキテクチャの例を示す図である。
【図７】図７は、アクセス・ネットワークにおけるｅＮＢおよびＵＥの例を示す図である。
【図８Ａ】図８Ａは、電力ヘッドルーム・レポートの態様を示す図である。
【図８Ｂ】図８Ｂは、電力ヘッドルーム・レポートの態様を示す図である。
【図９】図９は、媒体アクセス制御プロトコル・データ・ユニットの構造の図である。
【図１０Ａ】図１０Ａは、媒体アクセス制御エレメントの図である。
【図１０Ｂ】図１０Ｂは、電力ヘッドルーム・レポート制御エレメントの図である。
【図１１】図１１は、デュアル送信モード・システムの図である。
【図１２】図１２は、ＵＥのＵＬ送信電力の態様を示す図である。
【図１３Ａ】図１３Ａは、正のマルチ無線接続技術電力ヘッドルーム・レポートの態様を示す図である。
【図１３Ｂ】図１３Ｂは、負のマルチ無線接続技術電力ヘッドルーム・レポートの態様を示す図である。
【図１４】図１４は、無線通信方法のフローチャートである。
【図１５】図１５は、例示的な装置の機能を示す概念的なブロック図である。
【詳細な説明】
【０００７】
添付の図面に関連して以下に述べられる詳細な説明は、さまざまな構成の説明を意図したものであり、本明細書において説明される概念が実現され得る、唯一の構成を表すことを意図したものではない。詳細な説明は、さまざまな概念の完全な理解を提供するために、具体的な詳細を含む。しかしながら、これらの概念がこれらの具体的な詳細なしに実現され得ることを当業者は理解するだろう。いくつかの例では、そのような概念をあいまいにすることを避けるために、周知の構造およびコンポーネントが、ブロック図の形態で示される。
【０００８】
電気通信システムのいくつかの態様が、さまざまな装置および方法に関連してここに提示される。これらの装置および方法は、さまざまなブロック、モジュール、コンポーネント、回路、ステップ、処理、アルゴリズム、等（まとめて「エレメント」と呼ばれる）により、以下の詳細な説明において説明され、添付の図面において示される。これらのエレメントは、電子ハードウェア、コンピュータ・ソフトウェア、またはそれらの任意の組み合わせを使用して実現されることができる。そのようなエレメントがハードウェアとして実現されるかソフトウェアとして実現されるかは、システム全体に課された特定の用途および設計の制約に依存する。
【０００９】
例として、エレメント、またはエレメントの任意の一部、またはエレメントの任意の組み合わせは、１つまたは複数のプロセッサを含む「処理システム」を用いて実現され得る。プロセッサの例には、本開示全体を通して説明されるさまざまな機能を実行するように構成された、マイクロプロセッサ、マイクロコントローラ、デジタル・シグナル・プロセッサ（ＤＳＰ）、フィールド・プログラマブル・ゲート・アレイ（ＦＰＧＡ）、プログラマブル・ロジック・デバイス（ＰＬＤ）、ステート・マシン、ゲート・ロジック、ディスクリートハードウェア回路、および他の適切なハードウェアが含まれる。処理システムにおける１つまたは複数のプロセッサは、ソフトウェアを実行することができる。ソフトウェアは、ソフトウェア、ファームウェア、ミドルウェア、マイクロコード、ハードウェア記述言語と呼ばれるか、またはそれ以外の名称で呼ばれるかにかかわらず、命令、命令のセット、コード、コード・セグメント、プログラム・コード、プログラム、サブプログラム、ソフトウェア・モジュール、アプリケーション、ソフトウェア・アプリケーション、ソフトウェア・パッケージ、ルーチン、サブルーチン、オブジェクト、実行ファイル、実行スレッド、プロシージャ、関数、等を意味するものと広く解釈されるべきである。ソフトウェアは、コンピュータ読取可能な媒体上に存在することができる。コンピュータ読取可能な媒体には、例として、磁気記憶デバイス（たとえば、ハードディスク、フロッピー（登録商標）ディスク、磁気ストリップ）、光学ディスク（たとえば、コンパクト・ディスク（ＣＤ）、デジタル多用途ディスク（ＤＶＤ））、スマートカード、フラッシュメモリ・デバイス（たとえば、カード、スティック、キードライブ）、ランダム・アクセス・メモリ（ＲＡＭ）、読取専用メモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ）、レジスタ、リムーバブル・ディスク、搬送波、伝送回線、および、ソフトウェアを記憶または伝送するための任意の他の適切な媒体が含まれ得る。コンピュータ読取可能な媒体は、処理システム内に、もしくは処理システムの外部に存在することができ、または、処理システムを含む複数のエンティティにわたって分散されることができる。コンピュータ読取可能な媒体は、コンピュータ・プログラム製品に組み込まれることができる。例として、コンピュータ・プログラム製品は、パッケージング材料内のコンピュータ読取可能な媒体を含むことができる。当業者は、システム全体に課された特定の用途および全体的な設計の制約に応じて、本開示全体を通して提示され説明される機能をどのように実現することが最善かを認識するだろう。
【００１０】
図１は、処理システム１１４を用いる装置１００のためのハードウェアの実装の例を示す概念図である。この例では、処理システム１１４は、バス１０２によって一般的に表されたバス・アーキテクチャを用いて実現されることができる。バス１０２は、処理システム１１４の特定の用途と全体的な設計の制約に応じて、任意の数の相互接続バスおよびブリッジを含むことができる。バス１０２は、プロセッサ１０４によって一般的に表された１つまたは複数のプロセッサや、コンピュータ読取可能な媒体１０６によって一般的に表されたコンピュータ読取可能な媒体を含む、さまざまな回路を互いに連結させる。バス１０２はまた、タイミング・ソース、周辺機器、電圧レギュレータ、電力管理回路といったさまざまな他の回路を連結させることもできるが、これらは、当該技術でよく知られているので、これ以上説明しない。バス・インターフェース１０８は、バス１０２とトランシーバ１１０との間のインターフェースを提供する。トランシーバ１１０は、伝送媒体を通じてさまざまな他の装置と通信するための手段を提供する。装置の性質に応じて、ユーザ・インターフェース１１２（たとえば、キーパッド、ディスプレイ、スピーカー、マイクロフォン、ジョイスティック）も提供されることができる。
【００１１】
プロセッサ１０４は、バス１０２の管理、および、コンピュータ読取可能な媒体１０６に記憶されたソフトウェアの実行を含む一般的な処理を担う。このソフトウェアは、プロセッサ１０４によって実行されると、処理システム１１４に、任意の特定の装置に関して後に説明されるさまざまな機能を実行させる。コンピュータ読取可能な媒体１０６はまた、ソフトウェアを実行するときにプロセッサ１０４によって操作されるデータを記憶するために使用されることができる。
【００１２】
図２は、さまざまな装置１００を用いるＬＴＥネットワーク・アーキテクチャ２００を示す図である。ＬＴＥネットワーク・アーキテクチャ２００は、発展型パケット・システム（ＥＰＳ：Evolved Packet System ）２００と呼ばれ得る。ＥＰＳ２００は、１つ以上のユーザ機器（ＵＥ）２０２、発展型ＵＭＴＳ地上無線アクセス・ネットワーク（Ｅ−ＵＴＲＡＮ：Evolved UMTS Terrestrial Radio Access Network ）２０４、発展型パケット・コア（ＥＰＣ：Evolved Packet Core ）２１０、ホーム・サブスクライバ・サーバ（ＨＳＳ：Home Subscriber Server  ）２２０、およびオペレータのＩＰサービス２２２から構成される。ＥＰＳは、他のアクセス・ネットワークと相互接続することができるが、簡潔化のために、それらのエンティティ／インターフェースは図示していない。示されているように、ＥＰＳは、パケット交換式のサービスを提供するが、当業者には容易に理解されるように、本開示全体を通して提示されるさまざまな概念は、回路交換式のサービスを提供するネットワークに拡張されることができる。
【００１３】
Ｅ−ＵＴＲＡＮは、発展型ノードＢ（ｅＮＢ：evolved Node B ）２０６および他のｅＮＢ２０８を含む。ｅＮＢ２０６は、ＵＥ２０２に対するユーザおよび制御プレーン・プロトコルの終端を提供する。ｅＮＢ２０６は、Ｘ２インターフェース（すなわち、バックホール）を介して、他のｅＮＢ２０８に接続されることができる。ｅＮＢ２０６はまた、当業者により、基地局、基地トランシーバ局、無線基地局、無線トランシーバ、トランシーバ機能、ベーシック・サービス・セット（ＢＳＳ：basic service set ）、拡張サービス・セット（ＥＳＳ：extended service set ）、または他の何らかの適切な用語で呼ばれ得る。ｅＮＢ２０６は、ＵＥ２０２のためにＥＰＣ２１０へのアクセス・ポイントを提供する。ＵＥ２０２の例には、セルラー電話、スマートフォン、セッション開始プロトコル（ＳＩＰ）電話、ラップトップ、携帯情報端末（ＰＤＡ）、衛星ラジオ、全地球測位システム、マルチメディア・デバイス、映像デバイス、デジタル・オーディオ・プレイヤ（たとえば、ＭＰ３プレイヤ）、カメラ、ゲーム機器、または任意の他の同様の機能を果たすデバイスが含まれる。ＵＥ２０２はまた、当業者により、モバイル局、サブスクライバ局、モバイル・ユニット、サブスクライバ・ユニット、無線ユニット、リモート・ユニット、モバイル・デバイス、無線デバイス、無線通信デバイス、リモート・デバイス、モバイル・サブスクライバ局、アクセス端末、モバイル端末、無線端末、リモート端末、ハンドセット、ユーザ・エージェント、モバイル・クライアント、クライアント、または何らかの他の適切な用語でも呼ばれ得る。
【００１４】
ｅＮＢ２０６は、Ｓ１インターフェースによってＥＰＣ２１０に接続される。ＥＰＣ２１０は、モビリティ管理エンティティ（ＭＭＥ）２１２、他のＭＭＥ２１４、サービング・ゲートウェイ２１６、パケット・データ・ネットワーク（ＰＤＮ）ゲートウェイ２１８を含む。ＭＭＥ２１２は、ＵＥ２０２とＥＰＣ２１０との間のシグナリングを処理する制御ノードである。一般的に、ＭＭＥ２１２は、ベアラおよび接続の管理を提供する。すべてのユーザＩＰパケットは、サービング・ゲートウェイ２１６を通じて転送され、サービング・ゲートウェイ２１６自体は、ＰＤＮゲートウェイ２１８に接続される。ＰＤＮゲートウェイ２１８は、ＵＥのＩＰアドレスの割り当てならびに他の機能を提供する。ＰＤＮゲートウェイ２１８は、オペレータのＩＰサービス２１２に接続される。オペレータのＩＰサービス２２２は、インターネット、イントラネット、ＩＰマルチメディア・サブシステム（ＩＭＳ）、およびＰＳストリーミング・サービス（ＰＳＳ）を含む。
【００１５】
図３は、ＬＴＥネットワーク・アーキテクチャにおけるアクセス・ネットワークの例を示す図である。この例では、アクセス・ネットワーク３００は、いくつかのセルラー領域（セル）３０２に分割されている。より低い電力クラスの１つ以上のｅＮＢ３０８、３１２は、それぞれ、セル３０２のうちの１つ以上と重複するセルラー領域３１０、３１４を有することができる。より低い電力クラスのｅＮＢ３０８、３１２は、フェムトセル（たとえば、ホームｅＮＢ（ＨｅＮＢ））、ピコセル、またはマイクロセルであることができる。より高い電力クラスのｅＮＢ、またはマクロｅＮＢ３０４が、セル３０２に割り当てられ、セル３０２内のすべてのＵＥ３０６のために、ＥＰＣ２１０へのアクセス・ポイントを提供するように構成される。アクセス・ネットワーク３００のこの例には中央制御装置が存在しないが、代替の構成では、中央制御装置が使用されることができる。ｅＮＢ３０４は、無線ベアラ制御、アドミッション制御、モビリティ制御、スケジューリング、セキュリティ、およびサービング・ゲートウェイ２１６への接続性を含めた、無線関連のすべての機能を担う。
【００１６】
アクセス・ネットワーク３００によって用いられる変調および多元接続スキームは、展開されている特定の電気通信規格に応じて多様なものであり得る。ＬＴＥアプリケーションでは、周波数分割複信（ＦＤＤ）および時分割複信（ＴＤＤ）の両方をサポートするために、ＤＬではＯＦＤＭが使用され、ＵＬではＳＣ−ＦＤＭＡが使用される。以下の詳細な説明から当業者には容易に理解されるように、本明細書に提示されるさまざまな概念は、ＬＴＥアプリケーションによく適している。しかしながら、これらの概念は、他の変調および多元接続技術を用いる他の電気通信規格に容易に拡張されることができる。例として、これらの概念は、エボリューション・データ・オプティマイズド（ＥＶ−ＤＯ：Evolution-Data Optimized ）またはウルトラ・モバイル・ブロードバンド（ＵＭＢ：Ultra Mobile Broadband ）に拡張されることができる。ＥＶ−ＤＯおよびＵＭＢは、ＣＤＭＡ２０００ファミリーの規格の一部として第３世代パートナーシップ・プロジェクト２（３ＧＰＰ２）により発表されたエア・インターフェース規格であり、モバイル局にブロードバンド・インターネット・アクセスを提供するためにＣＤＭＡを用いる。これらの概念はまた、広帯域ＣＤＭＡ（Ｗ−ＣＤＭＡ（登録商標））、およびＴＤ−ＳＣＤＭＡのようなＣＤＭＡの他の変形例を用いるユニバーサル地上無線アクセス（ＵＴＲＡ）、ＴＤＭＡを用いる移動体通信のためのグローバルシステム（ＧＳＭ（登録商標））、ＯＦＤＭＡを用いる、発展型ＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、およびフラッシュＯＦＤＭに拡張されることもできる。ＵＴＲＡ、Ｅ−ＵＴＲＡ、ＵＭＴＳ、ＬＴＥ、およびＧＳＭは、３ＧＰＰの組織からの文書において説明されている。ＣＤＭＡ２０００およびＵＭＢは、３ＧＰＰ２の組織からの文書において説明されている。用いられる実際の無線通信規格および多元接続技術は、システムに課された特定の用途および全体的な設計の制約によって決まる。
【００１７】
ｅＮＢ３０４は、ＭＩＭＯ技術をサポートする複数のアンテナを有し得る。ＭＩＭＯ技術の使用は、ｅＮＢ３０４が、空間多重、ビームフォーミング、および送信ダイバーシティをサポートするために空間領域を利用することを可能にする。
【００１８】
空間多重は、異なるデータ・ストリームを同一の周波数で同時に送信するために使用されることができる。データ・ストリームは、データ・レートを増大させるために単一のＵＥ３０６に、または、全システム容量を増大させるために複数のＵＥ３０６に、送信されることができる。これは、各データ・ストリームを空間的にプリコーディングし、次いで、空間的にプリコーディングされた各ストリームを、下りリンクで異なる送信アンテナを通じて送信することによって達成される。空間的にプリコーディングされたデータ・ストリームは、異なる空間シグネチャとともにＵＥ３０６（１つまたは複数）へと到達し、それは、ＵＥ３０６（１つまたは複数）の各々が、そのＵＥ３０６に宛てられた１つ以上のデータ・ストリームを復元することを可能にする。上りリンクでは、各ＵＥ３０６は、空間的にプリコーディングされたデータ・ストリームを送信し、それは、ｅＮＢ３０４が、空間的にプリコーティングされた各データ・ストリームのソースを識別することを可能にする。
【００１９】
空間多重は一般的に、チャネル状況が良好なときに使用される。チャネル状況がさほど良好でないときには、送信エネルギーを１つまたは複数の方向に集中させるために、ビームフォーミングが使用されることができる。これは、複数のアンテナを通じた送信のためにデータを空間的にプリコーディングすることによって、達成されることができる。セル端での良好なカバレッジを達成するために、単一のストリームのビームフォーミング送信が、送信ダイバーシティと組み合わせて使用されることができる。
【００２０】
以下の詳細な説明では、アクセス・ネットワークのさまざまな態様が、下りリンクにおいてＯＦＤＭをサポートするＭＩＭＯシステムに関連して説明される。ＯＦＤＭは、ＯＦＤＭシンボル内で複数のサブキャリアにわたってデータを変調するスペクトル拡散技術である。これらのサブキャリアは、精密な周波数間隔があけられている。その間隔は、受信機がこれらのサブキャリアからデータを復元することを可能にする、「直交性」を提供する。時間領域では、ＯＦＤＭシンボル間干渉を抑制するために、各ＯＦＤＭシンボルにガード・インターバル（たとえば、サイクリック・プリフィクス）が追加されることができる。上りリンクは、高いピーク対平均電力比（ＰＡＲＲ：peak-to-average power ratio ）を補償するために、ＤＦＴ拡散ＯＦＤＭ信号の形態でＳＣ−ＦＤＭＡを使用することができる。
【００２１】
さまざまなフレーム構造が、ＤＬおよびＵＬ送信をサポートするために使用されることができる。ここでは、ＤＬのフレーム構造の一例が、図４に関連して提示される。しかしながら、当業者には容易に理解されるように、任意の特定の用途のためのこのフレーム構造は、任意の数のファクタに応じて異なり得る。この例では、フレーム（１０ｍｓ）が、等しいサイズの１０個のサブフレームに分割される。各サブフレームは、連続する２個のタイム・スロットを含む。
【００２２】
２個のタイム・スロットを表すためにリソース・グリッドが使用されることができ、各タイム・スロットは、リソース・ブロックを含む。リソース・グリッドは、複数のリソース・エレメントに分割される。ＬＴＥでは、１つのリソース・ブロックは、周波数領域に１２個の連続するサブキャリアを含み、また、各ＯＦＤＭシンボルにおける通常のサイクリック・プリフィクスについては、時間領域に７個の連続するＯＦＤＭシンボルを含み、すなわち、８４個のリソース・エレメントを含む。リソース・エレメントのうちのいくつかは、Ｒ４０２，４０４として示されているように、ＤＬリファレンス信号（ＤＬ−ＲＳ：DL reference signal ）を含む。ＤＬ−ＲＳは、セル固有のＲＳ（ＣＲＳ：Cell-specific RS ）（共通ＲＳとも呼ばれる）４０２と、ＵＥ固有のＲＳ（ＵＥ−ＲＳ：UE-specific RS ）４０４とを含む。ＵＥ−ＲＳ４０４は、対応する物理下りリンク共有チャネル（ＰＤＳＣＨ：physical downlink shared channel ）がマッピングされたリソース・ブロックのみで送信される。各リソース・エレメントによって搬送されるビット数は、変調スキームに依存する。ゆえに、ＵＥが受信するリソース・ブロックが多いほど、また、変調スキームが高度であるほど、そのＵＥに関するデータ・レートは高くなる。
【００２３】
ここで、ＵＬのフレーム構造の例が、図５に関連して提示される。図５は、ＬＴＥにおけるＵＬのための例示的なフォーマットを示す。ＵＬのために利用可能なリソース・ブロックは、データ・セクションと制御セクションとに区分されることができる。制御セクションは、システム帯域幅の２つの端のところに形成されることができ、設定可能なサイズを有することができる。制御セクション内のリソース・ブロックは、制御情報の送信のためにＵＥに割り当てられることができる。データ・セクションは、制御セクションに含まれないすべてのリソース・ブロックを含むことができる。図５の設計は、連続する複数のサブキャリアを含むデータ・セクションをもたらし、それは、データ・セクション内の連続するサブキャリアすべてが単一のＵＥに割り当てられることを可能にし得る。
【００２４】
ＵＥは、ｅＮＢに制御情報を送信するために、制御セクション内のリソース・ブロック５１０ａ、５１０ｂを割り当てられることができる。このＵＥはまた、ｅＮＢにデータを送信するために、データ・セクション内のリソース・ブロック５２０ａ、５２０ｂを割り当てられることができる。このＵＥは、制御セクションにおける割り当てられたリソース・ブロック上で、物理上りリンク制御チャネル（ＰＵＣＣＨ：physical uplink control channel ）で、制御情報を送信することができる。このＵＥは、割り当てられたデータ・セクション内のリソース・ブロックにおける、物理上りリンク共有チャネル（ＰＵＳＣＨ：physical uplink shared channel ）で、データのみ、またはデータと制御情報の両方を送信することができる。ＵＬ送信は、図５に示すように、１サブフレームの両方のスロットにわたることができ、周波数をホッピングすることができる。
【００２５】
図５に示すように、リソース・ブロックのセットが、物理ランダム・アクセス・チャネル（ＰＲＡＣＨ：physical random access channel ）において、初期システム・アクセスを実行し、ＵＬの同期を達成するために、使用されることができる。ＰＲＡＣＨは、ランダム・シーケンスを搬送するが、ＵＬデータ／シグナリングを搬送することはできない。各ランダム・アクセス・プリアンブルは、連続する６個のリソース・ブロックに対応する帯域幅を占有する。開始周波数は、ネットワークによって指定される。すなわち、ランダム・アクセス・プリアンブルの送信は、ある特定の時間周波数リソースに制限される。ＰＲＡＣＨには周波数ホッピングが存在しない。ＰＲＡＣＨの試みは、１つのサブフレーム（１ｍｓ）内で搬送され、ＵＥは、１フレーム（１０ｍｓ）につき１つのみのＰＲＡＣＨの試みを行い得る。
【００２６】
ＬＴＥにおけるＰＵＣＣＨ、ＰＵＳＣＨ、およびＰＲＡＣＨは、「発展型ユニバーサル地上無線接続（Ｅ−ＵＴＲＡ）；物理チャネルおよび変調（Evolved Universal Terrestrial Radio Access (E-UTRA); Physical Channels and Modulation ）」と題された、公的に入手可能な３ＧＰＰ  ＴＳ３６．２１１において説明されている。
【００２７】
無線プロトコル・アーキテクチャは、特定の用途に応じてさまざまな形態をとり得る。ここで、ＬＴＥシステムに関する一例が、図６に関連して提示される。図６は、ユーザおよび制御プレーンのための無線プロトコル・アーキテクチャの例を示す概念図である。
【００２８】
図６を参照すると、ＵＥおよびｅＮＢについての無線プロトコル・アーキテクチャが、レイヤ１、レイヤ２、レイヤ３という３つのレイヤを用いて示されている。レイヤ１は、最下位の下部であり、物理レイヤのさまざまな信号処理機能を実現する。レイヤ１は、本明細書では物理レイヤ６０６と呼ばれる。レイヤ２（Ｌ２レイヤ）６０８は、物理レイヤ６０６よりも上位にあり、物理レイヤ６０６を通じたＵＥとｅＮＢとの間のリンクを担う。
【００２９】
ユーザ・プレーンでは、Ｌ２レイヤ６０８は、媒体アクセス制御（ＭＡＣ：media access control ）サブレイヤ６１０、無線リンク制御（ＲＬＣ：radio link control ）サブレイヤ６１２、パケット・データ・コンバージェンス・プロトコル（ＰＤＣＰ：packet data convergence protocol ）６１４サブレイヤを含み、それらは、ネットワーク側のｅＮＢで終端する。示されていないが、ＵＥは、ネットワーク側のＰＤＮゲートウェイ２０８（図２を参照）で終端するネットワーク・レイヤ（たとえば、ＩＰレイヤ）や、他方の接続端（たとえば、遠端のＵＥ、サーバ、等）で終端するアプリケーション・レイヤを含む、Ｌ２レイヤ６０８よりも上の、いくつかの上位レイヤを有することができる。
【００３０】
ＰＤＣＰサブレイヤ６１４は、異なる無線ベアラと論理チャネルとの間での多重化を提供する。ＰＤＣＰサブレイヤ６１４はまた、無線送信のオーバーヘッドを減じるために上位レイヤのデータ・パケットについてヘッダの圧縮を提供し、データ・パケットを暗号化することによってセキュリティを提供し、ｅＮＢ間でのＵＥのハンドオーバーのサポートを提供する。ＲＬＣサブレイヤ６１２は、上位レイヤのデータ・パケットのセグメンテーションおよびリアセンブリと、損失データ・パケットの再送と、ハイブリッド自動再送要求（ＨＡＲＱ）に起因する、順序が乱れた受信を補償するためのデータ・パケットの並び替えと、を提供する。ＭＡＣサブレイヤ６１０は、論理チャネルとトランスポートチャネルとの間の多重化を提供する。ＭＡＣサブレイヤ６１０はまた、１つのセルにおけるさまざまな無線リソース（たとえば、リソース・ブロック）の複数のＵＥ間での割り当てを担う。ＭＡＣサブレイヤ６１０はまた、ＨＡＲＱ演算を担う。
【００３１】
制御プレーンにおいて、ＵＥおよびｅＮＢのための無線プロトコル・アーキテクチャは、制御プレーンではヘッダ圧縮機能がないという点を除き、物理レイヤ６０６およびＬ２レイヤ６０８については実質的に同一である。制御プレーンはまた、レイヤ３内に無線リソース制御（ＲＲＣ：radio resource control ）サブレイヤ６１６を含む。ＲＲＣサブレイヤ６１６は、無線リソース（すなわち、無線ベアラ）を得ることと、ｅＮＢとＵＥとの間でＲＲＣシグナリングを使用して下位レイヤを設定することとを担う。
【００３２】
図７は、アクセス・ネットワークにおいてＵＥ７５０と通信するｅＮＢ７１０のブロック図である。ＤＬにおいて、コア・ネットワークからの上位レイヤのパケットが、コントローラ／プロセッサ７７５に提供される。コントローラ／プロセッサ７７５は、図６に関し先に述べたＬ２レイヤの機能を実現する。ＤＬにおいて、コントローラ／プロセッサ７７５は、ヘッダの圧縮、暗号化、パケットのセグメンテーションおよび並び替え、論理チャネルとトランスポートチャネルとの間での多重化、さまざまな優先順位メトリックに基づいたＵＥ７５０に対する無線リソースの割り当てを提供する。コントローラ／プロセッサ７７５はまた、ＨＡＲＱ演算、損失パケットの再送、ＵＥ７５０へのシグナリングを担う。
【００３３】
ＴＸプロセッサ７１６は、Ｌ１レイヤ（すなわち、物理レイヤ）のためのさまざまな信号処理機能を実現する。信号処理機能は、ＵＥ７５０における前方誤り訂正（ＦＥＣ：forward error correction ）を容易にするように符号化およびインターリーブすることと、さまざまな変調スキーム（たとえば、２相位相変調（ＢＰＳＫ）、４相位相変調（ＱＰＳＫ）、Ｍ相位相変調（Ｍ−ＰＳＫ）、Ｍ値直交振幅変調（Ｍ−ＱＡＭ））に基づいて信号コンステレーションにマッピングすることとを含む。次いで、符号化および変調されたシンボルは、パラレルなストリームへと分けられる。そして、各ストリームは、ＯＦＤＭサブキャリアにマッピングされ、時間領域および／または周波数領域においてリファレンス信号（たとえば、パイロット）とともに多重化され、そして、逆高速フーリエ変換（ＩＦＦＴ）を使用してともに合成されて、時間領域のＯＦＤＭシンボル・ストリームを搬送する物理チャネルを生成する。ＯＦＤＭストリームは、複数の空間ストリームを生成するために空間的にプリコーディングされる。チャネル推定器７７４からのチャネル推定値が、符号化および変調スキームの決定、ならびに空間処理のために、使用され得る。チャネル推定値は、ＵＥ７５０によって送信されたリファレンス信号および／またはチャネル状況のフィードバックから導出され得る。そして、各空間ストリームは、別個の送信機７１８ＴＸを介して異なるアンテナ７２０に提供される。各送信機７１８ＴＸは、送信のためにそれぞれの空間ストリームを用いてＲＦキャリアを変調する。
【００３４】
ＵＥ７５０において、各受信機７５４ＲＸは、そのそれぞれのアンテナ７５２を通じて信号を受信する。各受信機７５４ＲＸは、ＲＦキャリア上に変調された情報を復元し、受信機（ＲＸ）プロセッサ７５６にその情報を提供する。
【００３５】
ＲＸプロセッサ７５６は、Ｌ１レイヤのさまざまな信号処理機能を実現する。ＲＸプロセッサ７５６は、ＵＥ７５０に宛てられた空間ストリームを復元するために、その情報に対して空間処理を実行する。複数の空間ストリームがＵＥ７５０に宛てられる場合、それらは、ＲＸプロセッサ７５６により単一のＯＦＤＭシンボル・ストリームへと合成されることができる。そして、ＲＸプロセッサ７５６は、高速フーリエ変換（ＦＦＴ）を使用して、ＯＦＤＭシンボル・ストリームを時間領域から周波数領域へと変換する。周波数領域の信号は、ＯＦＤＭ信号の各サブキャリアについて別個のＯＦＤＭシンボル・ストリームを備える。各サブキャリアにおけるシンボル、およびリファレンス信号は、ｅＮＢ７１０によって送信された最も確からしい信号コンステレーション・ポイントを決定することによって、復元および復調される。これらの軟判定は、チャネル推定器７５８によって計算されたチャネル推定値に基づくことができる。次いで、これらの軟判定は、物理チャネルにおいてｅＮＢ７１０により元々送信されたデータおよび制御信号を復元するために、復号およびデインターリーブされる。そして、データおよび制御信号が、コントローラ／プロセッサ７５９に提供される。
【００３６】
コントローラ／プロセッサ７５９は、図５に関し先に述べたＬ２レイヤを実現する。ＵＬにおいて、コントローラ／プロセッサ７５９は、トランスポートチャネルと論理チャネルとの間でのデマルチプレクシング、パケットのリアセンブリ、暗号解読、ヘッダの圧縮解除、制御信号処理を提供して、コア・ネットワークからの上位レイヤ・パケットを復元する。次いで、上位レイヤ・パケットは、データ・シンク７６２に提供されるが、それは、Ｌ２レイヤより上位のすべてのプロトコル・レイヤを表す。さまざまな制御信号もまた、Ｌ３処理のために、データ・シンク７６２に提供されることができる。コントローラ／プロセッサ７５９はまた、ＨＡＲＱ演算をサポートするために、肯定応答（ＡＣＫ）および／または否定応答（ＮＡＣＫ）プロトコルを使用した誤り検出を担う。
【００３７】
ＵＬでは、コントローラ／プロセッサ７５９に上位レイヤ・パケットを提供するために、データ・ソース７６７が使用される。データ・ソース７６７は、Ｌ２レイヤ（Ｌ２）より上位のすべてのプロトコル・レイヤを表す。ｅＮＢ７１０によるＤＬ送信に関連して説明された機能と同様に、コントローラ／プロセッサ７５９は、ヘッダの圧縮、暗号化、パケットのセグメンテーションと並び替え、およびｅＮＢ７１０による無線リソースの割り当てに基づいた論理チャネルとトランスポートチャネルとの間での多重化を提供することにより、ユーザ・プレーンおよび制御プレーンのためのＬ２レイヤを実現する。コントローラ／プロセッサ７５９はまた、ＨＡＲＱ演算、損失パケットの再送、ｅＮＢ７１０へのシグナリングを担う。
【００３８】
ｅＮＢ７１０によって送信されたリファレンス信号またはフィードバックからチャネル推定器７５８によって導出されたチャネル推定値は、適切な符号化および変調スキームを選択し、空間処理を容易にするために、ＴＸプロセッサ７６８によって使用されることができる。ＴＸプロセッサ７６８によって生成された空間ストリームは、別個の送信機７５４ＴＸを介して異なるアンテナ７５２に提供される。各送信機７５４ＴＸは、送信のためにそれぞれの空間ストリームを用いてＲＦキャリアを変調する。
【００３９】
ＵＬ送信は、ＵＥ７５０における受信機機能に関連して説明されたのと同様の方式で、ｅＮＢ７１０において処理される。各受信機７１８ＲＸは、そのそれぞれのアンテナ７２０を通じて信号を受信する。各受信機７１８ＲＸは、ＲＦキャリア上に変調された情報を復元し、ＲＸプロセッサ７７０にその情報を提供する。ＲＸプロセッサ７７０は、Ｌ１レイヤを実現する。
【００４０】
コントローラ／プロセッサ７５９は、図６に関し先に述べたＬ２レイヤを実現する。ＵＬにおいて、コントローラ／プロセッサ７５９は、トランスポートチャネルと論理チャネルとの間でのデマルチプレクシング、パケットのリアセンブリ、暗号解読、ヘッダの圧縮解除、制御信号処理を提供して、ＵＥ７５０からの上位レイヤ・パケットを復元する。コントローラ／プロセッサ７７５からの上位レイヤ・パケットは、コア・ネットワークに提供されることができる。コントローラ／プロセッサ７５９はまた、ＨＡＲＱ演算をサポートするために、肯定応答（ＡＣＫ）および／または否定応答（ＮＡＣＫ）プロトコルを使用した誤り検出を担う。
【００４１】
図１に関して説明された処理システム１１４は、ＵＥ７５０を含む。具体的には、処理システム１１４は、ＴＸプロセッサ７６８と、ＲＸプロセッサ７５６と、コントローラ／プロセッサ７５９とを含む。
【００４２】
ＵＥの電力ヘッドルーム・レポート（ＰＨＲ：Power Headroom Report ）制御エレメント（ＣＥ：Control Element ）は、ＵＥにおいて利用可能なヘッドルームの量をレポートする。このレポートは、ＵＥにおける送信電力能力または制限についてｅＮＢに知らせるために、ＵＥからｅＮＢへと送信される。ＰＨＲは、４０ｄＢ〜−２３ｄＢのレポート範囲で６ビットとして符号化（encode ）される。正の値（positive values ）は、ＵＥの最大送信電力と、ＵＥの現在の送信電力との間の差を示す。図８Ａは、ＵＥの送信電力８０２が最大送信電力８０６よりも低い場合の、正のヘッドルーム値８０４を示す。負の値（negative values ）は、ＵＥの最大送信電力と、計算されたＵＥの送信電力との間の差を示す。図８Ｂは、負のヘッドルーム電力を示す。計算されたＵＥの送信電力は、ＵＥが仮に、割り当てられたＨＡＲＱおよび冗長バージョン（ＲＶ：Redundancy Version ）の設定で現在の許可にしたがって送信するとした場合の量である。
【００４３】
このＰＨＲは、周期的に、またはＤＬのパスロスが特定の量だけ変化したときに、送信されることができる。ＰＨＲは、ＭＡＣ  ＣＥとして送信される。図６に示したように、ＭＡＣ６１０は、Ｌ２の一部である。ＭＡＣ  ＣＥは、ＭＡＣ演算を可能にする制御コマンドおよびレポートである。それらは、ＤＬ共有チャネル（ＤＬ−ＳＣＨ：DL Shared Channel ）または上りリンク共有チャネル（ＵＬ−ＳＣＨ：Uplink Shared Channel ）の一部として送信され、データ・ペイロードにピギーバック（piggyback ）され得る。ＵＥ  ＰＨＲは、ＭＡＣ規格において定義されたＣＥのうちの１つである。図９に示すように、ＭＡＣプロトコル・データ・ユニット（ＰＤＵ：Protocol Data Unit ）は、ヘッダ、ＣＥ、サービス・データ・ユニット（ＳＤＵ：Service Data Unit ）、およびパディングを含み得る。ヘッダは、複数のサブヘッダを含み、１つ１つは、ＭＡＣ  ＰＤＵの各構成要素のためのものである。各ＭＡＣ  ＰＤＵは、１つのトランスポートブロックに対応し、パディングは、オプションである。ＣＥは、バッファ・ステータスおよび電力ヘッドルーム・レポートといった制御情報をピギーバックするために使用される。
【００４４】
ＭＡＣ  ＰＤＵに含まれる各ＭＡＣ  ＣＥは、図１０Ａに示されるように、ＭＡＣヘッダ中に、Ｒ／Ｒ／Ｅ／ＬＣＩＤフォーマットの、関連づけられた１バイトのサブヘッダを有する。Ｒは、予約されたビット・フィールドを示す。Ｅフィールドは、さらなるフィールドがヘッダ中に存在するかどうかを示す。論理チャネルＩＤ（ＬＣＩＤ：Logical Channel ID ）フィールドは、ＭＡＣ  ＣＥのタイプを示す。図１０Ｂは、ＰＨＲに関するＭＡＣサブヘッダおよびＣＥを示す。
【００４５】
ＵＥは、異種の無線接続技術による送信が可能である。図１１は、デュアル送信モードのＵＥ１１０２がｅＮＢ１１０４からＵＬ許可１１０６を受信しているところを示している。ＵＥ１１０２は、第１の無線接続技術によってＵＬでｅＮＢ１１０４に第１の信号１１０８を送信し、第２の無線接続技術によってＵＬでｅＮＢ１１０４に少なくとも第２の信号１１１０を送信する。
【００４６】
異種の無線接続技術による同時送信に起因して、無線接続技術のうちの１つに関する送信電力には、制限が生じ得る。たとえば、第１および第２の無線接続技術のうちの一方が、より高い優先順位を有していて、優先順位の低い無線接続技術によって送信される他の信号に不完全な量のヘッドルームしか残さないことがある。時に、この不完全な量のヘッドルームは、ｅＮＢ１１０４によって予想されるレベルを下回る場合がある。従来のＰＨＲは、この状況でｅＮＢ１１０４に適切な情報を提供しないので、ｅＮＢ１１０４は、より低い優先順位の無線接続技術に関するＵＥ１１０２におけるＵＬ送信電力制限に気づかないままとなる。
【００４７】
図１１に示すように、ＵＥ１１０２は、異種の無線接続技術を使用するデュアル送信モードまたはマルチ送信モードで、たとえば、音声が１ｘによって送信され、データがＬＴＥによって送信され得る、同時の音声およびロング・ターム・エボリューション（ＳＶ−ＬＴＥ：Simultaneous Voice and Long Term Evolution ）で、動作することができる。ＳＶ−ＬＴＥモードでは、ＵＥは、１ｘおよびＬＴＥで同時に送信し得るので、比吸収率（ＳＡＲ：Specific Absorption Rate ）または他の規制基準ゆえに、１ｘ信号とＬＴＥ信号との間で送信電力を共有する。音声のほうがより高い優先順位を有する場合もあり、それによって、１ｘ信号が増大した電力または最大の電力で送信されることも間々ある。ＬＴＥ送信のために利用可能な残りの送信電力は、１ｘ信号に基づいて制限され得る。これは、両方の無線接続技術が、共有されたアンテナから送信するからである。たとえば、図１１に示すように、第２の信号（音声を含み得る）は、無線接続技術１ｘを使用して送信され、第１の信号は、無線接続技術ＬＴＥを使用して送信され得る。そのような構成では、第１の信号は、第２の信号に基づいて電力制限され得る。しかしながら、従来のシステムでは、ＰＨＲがこのイベントに起因してトリガされることはなく、ｅＮＢ１１０４は、ＵＥ１１０２におけるＬＴＥのＵＬ送信電力制限に気づかないままとなる。
【００４８】
上述のように、ＰＨＲは、ＤＬパスロスの変化によってトリガされる。異種の無線接続技術による送信に起因して、ＵＬのヘッドルームの量の変化が生じ得るが、その情報はｅＮＢに提供されない。ｅＮＢは、ＵＥにおける、より優先順位の低い無線接続技術に関するＵＬ送信電力制限に気づかぬまま、ｅＮＢとＵＥとの間の電力ヘッドルームのミスマッチを引き起こすことになる。より優先順位の低い無線接続技術は、たとえば、ＬＴＥであり得る。ＵＥが実際には第２の無線接続技術との電力の共有に起因する低減された電力でしか送信できないときに、ｅＮＢは、ＵＥがより高い電力で送信し得ることを予想することがある。これは、その不一致（discrepancy ）の量に応じた、より高いＨＡＲＱ失敗率をｅＮＢに経験させることになる。
【００４９】
これらの問題を克服するために、諸態様は、異種の無線接続技術による同時送信に起因する、より精確な電力ヘッドルーム情報を、ｅＮＢに伝達することを含む。この追加のＰＨＲは、本明細書においては同義でマルチ無線接続技術（ＲＡＴ：Radio Access Technology ）ＰＨＲとも呼ばれ、従来のＰＨＲに加えてレポートされることができる。マルチＲＡＴ  ＰＨＲは、現在の上りリンク許可および異種の無線接続技術による信号送信に基づいた、無線接続技術のうちの少なくとも１つのために利用可能なヘッドルームの量に関する情報を含む。
【００５０】
例示的な構成では、ＵＥは、以下の式１にしたがって、マルチＲＡＴヘッドルームを決定する。ＵＥはまず、Ａ（１２０６）、すなわち、ＵＥが現在のＵＬ許可で第１の無線接続技術によって第１の信号を送信するために使用し得る最大電力を決定する。図１２は、ＵＥが有する、第１の信号を送信するために利用可能な最大電力Ａ  １２０６の決定を示す。電力Ａ  １２０６は、最大送信電力１２０２から、第２の無線接続技術を使用して第２の信号を同時に送信することにより使用される電力１２０４を引くことによって、決定される。最大送信電力１２０２の一部１２０４は、第２の信号が第２の無線接続技術によって送信されることにより、利用され得る。一部１２０４はまた、他の無線接続技術によって同時に送信される追加の信号により利用され得る。これは、第１の無線接続技術によって第１の信号を送信するための、最大送信電力１２０２の一部１２０６のみを残す。この一部１２０６は、式１におけるＡである。
【００５１】
次に、ＵＥは、Ｂ、すなわち、現在のＵＬ許可に関するＰＵＳＣＨ電力制御式に基づいて、必要とされる送信電力を決定する。計算されたＢは、ＵＬ許可に基づいて第１の無線接続技術を使用してＵＬにおいて第１の信号を送信するための必要とされる送信電力の量をＵＥに示す。Ｂは、図８における計算されたＰＨＲからのＵＥの送信電力８０２である。そして、ＵＥは、ＡとＢとを比較することによって、たとえば、ＡとＢとの間の差を決定することによって、マルチＲＡＴヘッドルームを計算する。ＵＥは次いで、計算されたヘッドルームに関する情報をｅＮＢにレポートする。
【００５２】
マルチＲＡＴヘッドルーム＝Ａ−Ｂ                （式１）
Ａ＝ＵＥが、現在のＵＬ許可で第１の無線接続技術によって送信するために使用し得る最大電力
Ｂ＝ＰＵＳＣＨ電力制御式に基づいて必要とされる送信電力
図１３Ａは、ＡがＢより大きい、正のマルチＲＡＴヘッドルームを示す。図１３Ｂは、ＢがＡより大きい、負のマルチＲＡＴヘッドルームを示す。図１３Ｂは、第１の無線接続技術によって第１の信号を送信するためのｅＮＢとＵＥとの間のヘッドルームのミスマッチを示す。計算されたマルチＲＡＴヘッドルームの増加または減少は、ＵＬ許可と、ＵＥにおいて他の無線技術によって使用される送信電力と、のうちの少なくとも１つの変化によってもたらされ得る。電力ヘッドルームのミスマッチは、ＡがＢよりも小さいときに、より大きな問題となる。
【００５３】
マルチＲＡＴ  ＰＨＲは、多くの方法でトリガされることができる。たとえば、マルチＲＡＴ  ＰＨＲは、周期的タイマの終了によってトリガされることができる。したがって、所定量の時間が経過するたびに、マルチＲＡＴ  ＰＨＲがｅＮＢに送信されることができる。代替的にまたは追加的に、レポートは、計算されたマルチＲＡＴヘッドルームがしきい値量だけ変化したとの決定によって、トリガされ得る。したがって、ＵＥによって計算されたマルチＲＡＴヘッドルームが、所定量ＸｄＢと等しい量または所定量ＸｄＢを上回る量だけ増加または減少したときにはいつでも、マルチＲＡＴ  ＰＨＲが、トリガされ、ｅＮＢに送信される。異なるｅＮＢは、それら自体とＵＥとの間の電力ヘッドルームのミスマッチに対する異なるレベルの許容度を有し得る。したがって、しきい値量Ｘは、ｅＮＢによって設定可能であり得るので、ｅＮＢは、ｅＮＢがマルチＲＡＴ  ＰＨＲの変化についての情報を受信するレートを、そのような変化に対するその特有の感度に基づいて決定することができる。
【００５４】
本開示の一態様によると、電力ヘッドルーム・レポート（ＰＨＲ）は、送信電力ヘッドルームの変化によってトリガされ得る。ユーザ機器（ＵＥ）が、同時の音声およびロング・ターム・エボリューション（ＳＶ−ＬＴＥ）モード（たとえば、音声には無線接続技術（１ｘ）を用い、同時にデータにはＬＴＥを用いる）で動作するときには、ＵＥは、１ｘとＬＴＥで同時に送信し得るので、ＵＥの送信電力は、ＳＡＲ（比吸収率）または他の規制基準ゆえに、１ｘとＬＴＥとによって共有され得る。結果として、音声のほうがより高い優先順位を有する場合、１ｘは、最大の（または最大電力に近い）電力で送信される必要があり、ＬＴＥ  ＵＬ送信のための残りの電力は、減少し得る。ＰＨＲがこのイベントのためにトリガされないので、発展型ノードＢ（ｅＮＢ）は、ＵＥにおけるＬＴＥ  ＵＬ送信電力の減少に気づかないことがある。したがって、ＳＶ−ＬＴＥモードで動作しているときに、より精確なＬＴＥ電力ヘッドルーム情報をｅＮＢに伝達するために、独立したレポート・メカニズムが利用され得る。一例では、このレポート・メカニズムは、向上した送信効率を達成するために、既存のＰＨＲから可能な限り独立したものであり得る。
【００５５】
したがって、ＳＶ−ＬＴＥ  ＵＥが１ｘで同時にアクティブであるときには、新しいＰＨＲがＬＴＥにおいてトリガされ得る。新しいＰＨＲをトリガすることは、ＵＥにおける１ｘのアクティビティに起因する上りリンク（ＵＬ）電力バックオフの変化が、あるしきい値（たとえば、ｅＮＢによって設定され得る）を超えたときに、行われ得る。新しいＰＨＲは、現在のＵＥの能力において示されているように、複数の無線接続技術による同時送信（たとえば、ＳＶ−ＬＴＥ）を用いるＵＥに適用されるのみであり得る。この新しいＰＨＲは、既存のＰＨＲに追加され得る。
【００５６】
新しいＰＨＲは、以下のように定義され得る。
【００５７】
電力ヘッドルーム＝Ａ−Ｂであり、ここで、
Ａ＝ＵＥが現在のＵＬ許可でＬＴＥにおいて送信し得る最大電力、
Ｂ＝物理上りリンク共有チャネル（ＰＵＳＣＨ）の電力制御式に基づいて必要とされる送信電力、である。
【００５８】
１つの実施形態では、トリガは、ＵＥによって使用される電力のバックオフが、最後の電力ヘッドルーム・レポートから、ＸｄＢ（たとえば、５ｄＢ、０〜１０ｄＢの間の範囲値、および／または、ｅＮＢによって設定された任意の他の所望の値または範囲）を超えて変化した場合の、レポート・トリガを含み得る。定期的なレポートは、複数の無線接続技術による同時送信をサポートしていないＵＥにほとんど影響を与えないか、または何の影響も与えないことができる。値Ｘと定期的なレポートは、無線リソース制御（ＲＲＣ）によって設定可能であり得る。
【００５９】
別の実施形態では、トリガは、電力バックオフの変化が、あるしきい値を超えたとき、および周期的タイマが終了したときの、少なくとも２つのトリガを含み得る。
【００６０】
別の実施形態では、ＰＨＲ媒体アクセス制御（ＭＡＣ）チャネル・エレメント（ＣＥ）における予約されたビットのうちの１つが、新しいタイプのＰＨＲを示すために使用され得る。この新しいタイプのＰＨＲのトリガは、前述したものと同一であり得る。
【００６１】
１つの実施形態では、図１１を参照すると、ＬＴＥに関する一連のイベントが以下のように行われる。ｅＮＢ１１０４は、ＵＥ１１０２にＵＬ許可を送信するように構成される。ＵＥ１１０２は、ＵＬ許可において送信するために必要とされる送信電力を計算するように構成される。ＵＥ１１０２は、ＵＬ許可において送信するために必要とされる送信電力と、ＵＥ１１０２が送信できる最大電力との間のデルタを計算するように構成され、そのデルタは、電力ヘッドルームと呼ばれる。電力ヘッドルームに基づいて、ｅＮＢ１１０４は、ＵＥ１１０２に送信される次のＵＬ許可に関し、ＵＬ許可を増加させるか、減少させるか、または同一のＵＬ許可を維持するかを決定するように構成される。したがって、ｅＮＢ１１０４は、ＵＥ１１０２によってレポートされたＰＨＲに基づいて、ＵＥ１１０２へのＵＬ許可を調節することができる。
【００６２】
本開示の一態様は、１ｘのために使用される送信電力を考慮する（電力ヘッドルームは本質的に減じられ得る）。ＵＥ１１０２によって計算された新しい電力ヘッドルームは、ＵＥ１１０２が有する、ＬＴＥのために利用可能な、より精確な電力ヘッドルームを反映する。
【００６３】
モバイル・ブロードバンド・アクセスの需要が増加し続けるのに伴い、ＬＴＥ技術には改良が必要とされている。たとえば、電力ヘッドルーム・レポート（ＰＨＲ）は、送信電力ヘッドルームの変化によってではなく、ＤＬパスロスの変化によってトリガされることしかできない。音声のほうがより高い優先順位を有するときには、１ｘが最大の（または最大電力に近い）電力で送信される必要のある状況があり得るので、ＬＴＥ  ＵＬ送信のための残りの電力は制限され得る。結果は、ｅＮＢとＵＥとの間の電力ヘッドルームのミスマッチである（たとえば、ｅＮＢは、ＵＥがある電力で送信することを予想したが、そのときＵＥは１ｘとの電力共有ゆえに実際にはより低い電力でしか送信することができない）。これらの状況では、ｅＮＢは、この不一致に応じた、より高いＨＡＲＱ（ハイブリッド自動再送要求）の失敗率を経験し得る。
【００６４】
したがって、最後のレポートからの電力バックオフの変化が選択されたしきい値を超えたときに、新しいＰＨＲとして情報をレポートすることがトリガされ得る。言い換えれば、ＵＥにおける１ｘのアクティビティに起因する上りリンク（ＵＬ）電力バックオフの変化が、あるしきい値を超えたとき、新しいＰＨＲが、たとえば、ＳＶ−ＬＴＥ  ＵＥが１ｘにおいて同時にアクティブであるときに、ＬＴＥにおいてトリガされ得る。
【００６５】
式１は、第１の無線接続技術による第１の信号のための送信電力を制限する任意の他の無線接続技術インターフェースの影響を考慮する、ということに留意すべきである。これは、第２の無線接続技術、またはＵＬ電力ヘッドルームに影響を及ぼす追加の無線接続技術による、第２の信号を含み得る。
【００６６】
上述のように、マルチＲＡＴ  ＰＨＲは、従来のＰＨＲに加えて送信され得る。マルチＲＡＴ  ＰＨＲは、多くの方法で構築され得る。たとえば、マルチＲＡＴ  ＰＨＲは、図８〜１０に示した従来のＰＨＲに加えて送信される新しいＰＨＲレポートとして構築され得る。マルチＲＡＴ  ＰＨＲは、ＰＨＲとは別個の新しいＭＡＣ  ＣＥとして構築され得る。マルチＲＡＴ  ＰＨＲは、たとえばＳＶ−ＬＴＥによるなど、複数の無線接続技術による同時送信が可能なＵＥによってのみ送信され得る。あるいは、レポートは、ｅＮＢに対してＰＨＲのタイプを示すためにＰＨＲ  ＭＡＣ  ＣＥにおける予約されたビットのうちの１つを用いて、図８〜１０のＰＨＲと同一の構造を有し得る。図１０は、ＰＨＲに対応するサブヘッダが、予約された複数のビットを含むことを示している。これらの予約されたビットは、レポートがマルチＲＡＴ  ＰＨＲであることをｅＮＢに示すために使用され得る。ＬＣＩＤは、ＰＨＲに関するものと同一のインジケーションを使用することができ、ＭＡＣ  ＰＤＵの制御エレメント・セクションにおいて送信されるヘッドルーム・レポートは、従来のＰＨＲと同一の構造を使用し得る。したがって、ＰＨＲレポートのタイプを示す予約されたビットを使用することによって、ｅＮＢは、たとえマルチＲＡＴ  ＰＨＲレポートのＬＣＩＤおよび制御エレメントがＰＨＲと同様であったとしても、ＰＨＲとマルチＲＡＴ  ＰＨＲとを見分けることができる。
【００６７】
マルチＲＡＴ  ＰＨＲは、ＵＥが異種の無線接続技術を使用して送信するときに起こり得る、ｅＮＢとＵＥとの間の電力ヘッドルームのミスマッチを防ぐために、追加のヘッドルーム情報をｅＮＢに提供する。
【００６８】
図１４は、無線通信方法のフローチャート１４００である。この方法は、ｅＮＢから上りリンク（ＵＬ）許可を受信する（１４０２）。この方法は、第１の無線接続技術とは異なる第２の無線接続技術を使用して第２の信号を同時に送信しながら第１の無線接続技術を使用して第１の信号を送信するために利用可能な第１の電力Ａを決定する（１４０４）。本明細書において説明されるとき、第１の無線接続技術は、ＬＴＥであることができ、第２の無線接続技術は、さまざまな例では、１ｘ、エボリューション・データ・オプティマイズド（ＥＶＤＯ）、Ｂｌｕｅｔｏｏｔｈ（登録商標）、等といった、第２の無線接続技術であることができる。ユーザ機器（ＵＥ）は、たとえば、ＳＶ−ＬＴＥモードで動作し得る。
【００６９】
この方法は、上りリンク許可に基づいて、第１の無線接続技術を使用して上りリンクで第１の信号を送信するための第２の電力Ｂを決定する（１４０６）。次いで、この方法は、マルチＲＡＴヘッドルーム＝Ａ−Ｂを計算することによって、第１の電力と第２の電力との間の差を決定する（１４０８）。トリガに基づいて、この方法は、第１の無線接続技術によって該差に関する情報をレポートする（１４１０）。本明細書において説明されるとき、このトリガは、タイマの終了、または、マルチＲＡＴヘッドルームが最後にレポートされたマルチＲＡＴヘッドルームからしきい値量だけ変化したとの決定であり得る。一例では、この方法は、電力ヘッドルーム・レポートのタイプを示す変更され予約されたビットを有するＰＨＲ  ＭＡＣ制御エレメントとして、情報をレポートし得る。別の例では、この方法は、ＰＨＲとは異なる新しいＭＡＣ制御エレメントとして、情報をレポートし得る。
【００７０】
本開示の一態様は、１ｘのために使用される送信電力を考慮する（電力ヘッドルームは本質的に低減され得る）。ＵＥによって計算された新しい電力ヘッドルームは、ＵＥが有する、ＬＴＥのために利用可能な、より精確な電力ヘッドルームを反映する。したがって、最後のレポートからの電力バックオフの変化が選択されたしきい値を超えたときには、新しいＰＨＲとして情報をレポートすることがトリガされ得る。すなわち、ＵＥにおける１ｘのアクティビティに起因する上りリンク（ＵＬ）電力バックオフの変化が、あるしきい値を超えたときには、新しいＰＨＲが、たとえば、ＳＶ−ＬＴＥ  ＵＥが１ｘにおいて同時にアクティブであるときにはＬＴＥにおいて、トリガされることができる。
【００７１】
図１５は、例示的な装置１００の機能を示す概念的なブロック図１５００である。装置１００は、上りリンク許可を受信するモジュール１５０２と、第１の無線接続技術とは異なる第２の無線接続技術を使用して第２の信号を送信しながら第１の無線接続技術を使用して第１の信号を送信するために利用可能な第１の電力Ａを決定するモジュール１５０４と、上りリンク許可に基づいて、第１の無線接続技術を使用して上りリンクで第１の信号を送信するための第２の電力Ｂを決定するモジュール１５０６と、第１の電力と第２の電力との間の差を決定するモジュール１５０８と、トリガされると、第１の無線接続技術によって、その差に関する情報をレポートするモジュール１５１０とを含む。ＵＥによって計算された電力ヘッドルームは、ＵＥが有する、ＬＴＥのために利用可能な、より精確な電力ヘッドルームを反映する。したがって、最後のレポートからの電力バックオフの変化が選択されたしきい値を超えたときには、新しいＰＨＲとして情報をレポートすることがトリガされ得る。したがって、ＵＥにおける１ｘのアクティビティに起因する上りリンク（ＵＬ）電力バックオフの変化が、あるしきい値を超えたときには、新しいＰＨＲが、たとえば、ＳＶ−ＬＴＥ  ＵＥが１ｘにおいて同時にアクティブであるときにはＬＴＥにおいて、トリガされることができる。
【００７２】
図１および図７を参照すると、１つの構成において、無線通信のための装置１００は、第１の無線接続技術とは異なる第２の無線接続技術を使用して第２の信号を同時に送信しながら第１の無線接続技術を使用して第１の信号を送信するために利用可能な第１の電力を決定するための手段と、上りリンク許可を受信するための手段と、上りリンク許可に基づいて、第１の無線接続技術を使用して上りリンクで第１の信号を送信するための第２の電力を決定するための手段と、第１の電力と第２の電力との間の差を決定するための手段と、トリガされると、第１の無線接続技術によって、その差に関する情報をレポートするための手段とを含む。上記手段は、上記手段によって説明された機能を実行するように構成された処理システム１１４である。先に述べたように、処理システム１１４は、ＴＸプロセッサ７６８と、ＲＸプロセッサ７５６と、コントローラ／プロセッサ７５９とを含む。したがって、１つの構成では、上記手段は、上記手段によって説明された機能を実行するように構成された、ＴＸプロセッサ７６８、ＲＸプロセッサ７５６、およびコントローラ／プロセッサ７５９であることができる。
【００７３】
第１の無線接続技術は、ＬＴＥであることができ、第２の無線接続技術は、１ｘ、エボリューション・データ・オプティマイズド、およびＢｌｕｅｔｏｏｔｈのうちの１つを含むことができる。トリガは、タイマの終了、または、差が最後にレポートされた差からしきい値量だけ変化したとの決定、であることができる。レポートは、ＰＨＲのタイプを示す変更され予約されたビットを有するＰＨＲ  ＭＡＣ  ＣＥとして、送信されることができる。レポートは、ＰＨＲとは異なる新しいＭＡＣ  ＣＥとして送信されることができる。
【００７４】
１つの実施形態において、新しいＰＨＲは、現在のＵＥの能力において示されているように、複数の無線接続技術での同時送信（たとえば、ＳＶ−ＬＴＥ）が可能なＵＥにのみ適用され得る。別の実施形態では、電力バックオフの変化が、あるしきい値を超えたとき、および周期的タイマが終了したときの、新しいＰＨＲの２つのトリガが本明細書に説明された。さらなる別の態様では、ＰＨＲ  ＭＡＣ  ＣＥにおける予約されたビットのうちの１つが、新しいＰＨＲのタイプを示すために使用され得る。この新しいＰＨＲのタイプのトリガは、本明細書に説明されたものと同一であり得る。
【００７５】
開示された処理におけるステップの特定の順序または階層は、例示的なアプローチの一例であるということが理解される。設計の好みに基づいて、処理におけるステップの特定の順序または階層は並べ替えられ得るということが理解される。添付の方法の請求項は、例示的な順序でさまざまなステップのエレメントを提示しているが、提示された特定の順序または階層に限定されることを意図するものではない。
【００７６】
以上の説明は、当業者に、本明細書に説明されたさまざまな態様の実現を可能にさせるために提供されている。これらの態様に対するさまざまな変更は、当業者には容易に理解され、本明細書において定義された一般的な原理は、他の態様に適用され得る。したがって、特許請求の範囲は、明細書に示された態様だけに限定されることを意図するものではなく、特許請求の範囲における記載と一致する全範囲を付与されるべきものであり、単数形でのエレメントへの言及は、特に明確な記載がない限り、「１つ、および１つのみ」を意味することは意図せず、「１つ以上」を意味するものとする。特に明確な記載がない限り、「いくつかの」という用語は、１つまたは複数を意味する。当業者に知られている、または後に知られることとなる、この開示全体を通して説明されたさまざまな態様のエレメントと構造的および機能的に同等な物はすべて、引用によって本明細書に明確に組み込まれ、特許請求の範囲に含まれることが意図される。さらに、本明細書におけるどの開示も、そのような開示が特許請求の範囲に明示的に記載されているか否かに関わらず、公衆に献呈されることを意図するものではない。特許請求の範囲のどのエレメントも、そのエレメントが明確に「〜のための手段」という句を使用して記載されていない限り、または、方法の請求項の場合には、そのエレメントが「〜するためのステップ」という句を使用して記載されていない限り、３５Ｕ．Ｓ．Ｃ．§ １１２、第６パラグラフの規定の下に解釈されるべきでない。
【図１】
2013539323.tif 000003
【図２】
2013539323.tif 000004
【図３】
2013539323.tif 000005
【図４】
2013539323.tif 000006
【図５】
2013539323.tif 000007
【図６】
2013539323.tif 000008
【図７】
2013539323.tif 000009
【図８Ａ】
2013539323.tif 000010
【図８Ｂ】
2013539323.tif 000011
【図９】
2013539323.tif 000012
【図１０Ａ】
2013539323.tif 000013
【図１０Ｂ】
2013539323.tif 000014
【図１１】
2013539323.tif 000015
【図１２】
2013539323.tif 000016
【図１３Ａ】
2013539323.tif 000017
【図１３Ｂ】
2013539323.tif 000018
【図１４】
2013539323.tif 000019
【図１５】
2013539323.tif 000020
【国際調査報告】
2013539323.tif 000021
2013539323.tif 000022
2013539323.tif 000023